(57)【要約】【課題】大電流対応で飽和のしにくい特性を有しつつ、自動車の振動に対しても耐振動性のあるチョークコイルを提供することを目的としている。【解決手段】貫通孔１７を有するエッジワイズコイル１６と、この貫通孔１７に挿入し、ダストコアからなる閉磁路磁芯１８と、エッジワイズコイル１６の両先端部に形成した端子部１３と、この端子部１３を突出させるように、エッジワイズコイル１６及び閉磁路磁芯１８を被覆した外装部１１とを備え、端子部１３は外装部１１から千鳥状に突出させるとともに、端子部１３の根元部１４の一部１５を外装部１１により被覆した構成である。【選択図】　図１
2004128025.tif 000002
【特許請求の範囲】
【請求項１】
貫通孔を有するエッジワイズコイルと、前記エッジワイズコイルの貫通孔に挿入した閉磁路磁芯と、前記エッジワイズコイルの両先端部に形成した端子部と、前記端子部を突出させるように、前記エッジワイズコイル及び前記閉磁路磁芯を被覆した外装部とを備え、前記端子部は前記外装部から千鳥状に突出させるとともに、前記端子部の根元部の一部を前記外装部の一部により被覆したチョークコイル。
【請求項２】
外装部の一部は、端子部が突出する外装部の一側面の端部に、柱状に設けた請求項１記載のチョークコイル。
【請求項３】
外装部の一部は、端子の幅方向に向かって、端子の幅の略半分の位置まで被覆した請求項１記載のチョークコイル。
【請求項４】
外装部の一部の厚みは、少なくとも、端子部の厚み以上とした請求項１記載のチョークコイル。
【請求項５】
外装部から突出させた端子部は、直線形状であって、実装基板に差し込んで取り付けるようにした請求項１記載のチョークコイル。
【発明の詳細な説明】
【０００１】
【発明の属する技術分野】
本発明は各種電子機器等に用いるチョークコイルに関するものである。
【０００２】
【従来の技術】
以下、従来のチョークコイルについて図面を参照しながら説明する。
【０００３】
図５は従来のチョークコイルの斜視図、図６は応力分布状態を示す同チョークコイルの斜視図である。
【０００４】
図５において、従来のチョークコイルは、貫通孔を有するエッジワイズコイルと、このエッジワイズコイルの貫通孔に挿入した閉磁路磁芯と、このエッジワイズコイルの両先端部を突出させるように、エッジワイズコイル及び閉磁路磁芯を被覆した外装部５とを備えている。
【０００５】
このエッジワイズコイルの両先端部は端子部３とし、この端子部３を外装部５から平行に突出させて、そのまま実装基板に差し込んで取り付けるようにした構成である。
【０００６】
このチョークコイルに対する振動加重の主要応力は、図６のＡ部に示すように、端子部３の根元部４の周縁全体に渡って加わる。
【０００７】
なお、この出願に関連する先行技術文献情報としては、例えば、特許文献１が知られている。
【０００８】
【特許文献１】
特開平９−２３２１５４号公報
【０００９】
【発明が解決しようとする課題】
上記従来のチョークコイルは、近年、自動車用の電子機器・電子システムとして、車載用オーディオ機器や電子ブレーキシステム等への需要が高まっている。
【００１０】
このような場合、小型軽量はもとより、大電流（１０Ａ〜５０Ａ程度）対応で、飽和のしにくい特性や高耐震性が求められる。
【００１１】
上記従来の構成では、特に、自動車の振動に対する耐震性が悪く、実装基板等への取り付け後、繰り返しの振動によって端子部３が折曲したり、破断したりするという問題点を有していた。特に、小型軽量化にともなうエッジワイズコイルの細線化により、その問題は顕著であった。
【００１２】
本発明は上記問題点を解決するもので、大電流対応で飽和のしにくい特性を有しつつ、自動車の振動に対しても耐振動性のあるチョークコイルを提供することを目的としている。
【００１３】
【課題を解決するための手段】
上記目的を達成するために本発明は、以下の構成を有する。
【００１４】
本発明の請求項１記載の発明は、特に、端子部は外装部から千鳥状に突出させるとともに、端子部の根元部の一部を外装部の一部により被覆した構成である。
【００１５】
上記構成により、端子部は外装部から千鳥状に突出させているので、水平方向に対する耐振動性が向上するとともに、外装部の一部を端子部の根元部の一部に被覆しているので、端子部が外装部の突出した位置において折曲されにくくなり、より耐振動性を向上することができる。
【００１６】
本発明の請求項２記載の発明は、特に、外装部の一部は、端子部が突出する外装部の一側面の端部に、柱状に設けた構成である。
【００１７】
上記構成により、外装部の一部にクラックや欠けが生じるのを抑制し、端子部の耐振動性をより向上することができる。
【００１８】
本発明の請求項３記載の発明は、特に、外装部の一部は、端子の幅方向に向かって、端子の幅の略半分の位置まで被覆した構成である。
【００１９】
上記構成により、外装部の一部にクラックや欠けが生じるのをより抑制し、端子部の耐振動性を一層向上することができる。
【００２０】
本発明の請求項４記載の発明は、特に、外装部の一部の厚みは、少なくとも、端子部の厚み以上とした構成である。
【００２１】
上記構成により、外装部の一部にクラックや欠けが生じるのをより抑制し、端子部の耐振動性を一層向上することができる。
【００２２】
本発明の請求項５記載の発明は、特に、外装部から突出させた端子部は、直線形状であって、実装基板に差し込んで取り付けるようにした構成である。
【００２３】
上記構成により、外装部から突出させた端子部を実装基板に直接差し込んで取り付けることができるので使い勝手がよい。
【００２４】
【発明の実施の形態】
（実施の形態）
以下、本発明の実施の形態を用いて、全請求項に記載の発明について図面を参照しながら説明する。
【００２５】
図１は本発明の一実施の形態におけるチョークコイルの斜視図、図２は同チョークコイルの平面図、図３は外装部形成前の同チョークコイルの分解斜視図、図４は応力分布状態を示す同チョークコイルの斜視図である。
【００２６】
図１〜図３において、本発明の一実施の形態におけるチョークコイルは、貫通孔１７を有するエッジワイズコイル１６と、このエッジワイズコイル１６の貫通孔１７に挿入し、ダストコアからなる閉磁路磁芯１８と、エッジワイズコイル１６の両先端部に形成した端子部１３と、この端子部１３を突出させるように、エッジワイズコイル１６及び閉磁路磁芯１８を被覆した外装部１１とを備えている。
【００２７】
また、端子部１３は外装部１１から千鳥状に突出させるとともに、端子部１３の根元部１４の一部１５を外装部１１により被覆している。
【００２８】
ここで、端子部１３の根元部１４とは、端子部１３を突出させた外装部１１の側面の近傍部分であり、この根元部１４の一部１５とは、端子部１３の幅方向に向かう一部分のことをいう。
【００２９】
さらに、外装部１１は液晶ポリマー系の樹脂であって、流動性及び絶縁性がよく、エッジワイズコイル１６及び閉磁路磁芯１８を的確に被覆することができる。
【００３０】
この外装部１１の一部１２は、端子部１３が突出する外装部１１の一側面の端部に、柱状に設けるとともに、その厚みは、少なくとも端子部１３の厚み以上とし、端子部１３の幅方向に向かって、端子部１３の幅の略半分の位置まで被覆している。
【００３１】
このような外装部１１から突出させた端子部１３は、直線形状であって、実装基板に差し込んで取り付けるようにした構成である。
【００３２】
このチョークコイルに対する振動加重の主要応力は、図４のＡ部に示すように、端子部１３の根元部１４の周縁全体ではなく、その一部分のみに加わる。特に、従来のチョークコイルに比べ、応力そのものも小さくなっている。応力は従来に比べ１／１０以下となり、１０倍以上の耐久性を可能とする。
【００３３】
上記構成により、エッジワイズコイル１６を用い、閉磁路磁芯１８をダストコアとしているので（ダストコア以外でもよいが、ダストコアが望ましい）、大電流（１０Ａ〜５０Ａ程度）対応で、飽和のしにくい特性を得ることができる。特に、外装部１１は液晶ポリマー系なので、円滑にエッジワイズコイル１６及び閉磁路磁芯１８を被覆することができ、空隙等の発生も抑制し、絶縁性を向上している。
【００３４】
また、端子部１３は外装部１１から千鳥状に突出させているので、水平方向に対する耐振動性が向上するとともに、端子部１３の根元部１４の一部１５を外装部１１の一部１２により被覆しているので、端子部１３が外装部１１の突出した位置において折曲されにくくなり、より耐振動性を向上することができる。
【００３５】
特に、外装部１１の一部１２は、端子部１３が突出する外装部１１の一側面の端部に、柱状に設けているので、外装部１１の一部１２にクラックや欠けが生じるのを抑制し、また、端子部１３の幅方向に向かって、端子部１３の幅の略半分の位置まで被覆し、さらに、その厚みは、少なくとも端子部１３の厚み以上としているので、外装部１１の一部１２にクラックや欠けが生じるのをより抑制し、端子部１３の耐振動性を一層向上することができる。
【００３６】
さらに、外装部１１から突出させた端子部１３は、直線形状であって、実装基板に差し込んで取り付けるようにしているので、外装部１１から突出させた端子部１３を実装基板に直接差し込んで取り付けることができるので使い勝手がよい。
【００３７】
このように本発明の一実施の形態によれば、大電流対応で飽和のしにくい特性を得ながら、耐振動性を向上することができる。また、エッジワイズコイル１６の細線化による小型軽量化を図っても特に問題も生じない。
【００３８】
【発明の効果】
以上のように本発明によれば、端子部は外装部から千鳥状に突出させているので、水平方向に対する耐振動性が向上するとともに、端子部の根元部の一部を外装部の一部により被覆しているので、端子部が外装部の突出した位置において折曲されにくくなり、より耐振動性を向上したチョークコイルを提供することができる。
【図面の簡単な説明】
【図１】本発明の一実施の形態におけるチョークコイルの斜視図
【図２】同チョークコイルの平面図
【図３】外装部形成前の同チョークコイルの分解斜視図
【図４】応力分布状態を示す同チョークコイルの斜視図
【図５】従来のチョークコイルの斜視図
【図６】応力分布状態を示す同チョークコイルの斜視図
【符号の説明】
１１　外装部
１２　一部
１３　端子部
１４　根元部
１５　一部
１６　エッジワイズコイル
１７　貫通孔
１８　閉磁路磁芯
【図１】
2004128025.tif 000003
【図２】
2004128025.tif 000004
【図３】
2004128025.tif 000005
【図４】
2004128025.tif 000006
【図５】
2004128025.tif 000007
【図６】
2004128025.tif 000008